(57)【要約】      （修正有）【課題】種々の大きさのレンジフードに使用できる伸縮可能な不織布フィルター用保持枠を提供する。【解決手段】伸縮可能なフィルター保持枠は略Ｌ字状の枠片２の先端方を結ぶ面保持片３を設けた四つの保持部材１からなり、各々保持部材の枠片２同士をスライド可能に接続して略方形状に形成してなり、枠が縮小拡大しても連動する面保持片３によりほぼ均一にフィルター面を保持できる。枠に入れたフィルターをサンドイッチ状に固定するため、前記枠片２を略線状体が形成してなる伸縮する裏面固定枠により、フィルターの反対面を押さえて固定することで伸縮可能な不織布フィルター用保持枠ができる。【選択図】図１
0003154046.tif 000002
【実用新案登録請求の範囲】
【請求項１】
平面視略Ｌ字状の枠片の先端方を結ぶ略線状体の面保持片を設けた略三角形状の保持部材の四つからなり、各々保持部材の枠片同士をスライド可能に接続して略方形状に形成し、四本の前記面保持片により枠片の内部に取り付けられるフィルター面を保持する面保持部を形成してなる伸縮可能な不織布フィルター用保持枠。
【請求項２】
前記略三角形状の保持部材を、対向する二つの保持部材側の枠片を上側とし、隣接する二つの保持部材側の枠片を下側にしてなり、各々隣接する略三角形状保持部材が重なり、面保持片が重なっても支障がなく枠片と連動してフィルター面をほぼ均一に保持することができる請求項１記載の伸縮可能な不織布フィルター用保持枠。
【請求項３】
枠片が略線状体より形成してなり、略線状体からなる四つの略三角形状のＬ字状の先端方に略線状体が通るパイプ又は輪等を設けて、隣接する略三角形状のＬ字状の略線状体を互いに通して形成した略方形状の伸縮する裏面固定枠。
【考案の詳細な説明】
【技術分野】
【０００１】  本考案は、不織布フィルター用枠が縦横に伸縮し、さらに、フィルター面もほぼ均一に保持できる伸縮可能な不織布フィルター用保持枠に関するものである。
【背景技術】
【０００２】  従来、レンジフードに用いられる油煙を除去する不織布フィルターは、下からマジックテープや磁石を利用して貼っていた。【０００３】  油煙除去不織布フィルター用の枠を使用する方法は、レンジフードは種々の大きさのものがあるためレンジフードのサイズに対応したフィルターの枠を用いなければならず、一般的に普及していなかった。
【考案の概要】
【考案が解決しようとする課題】
【０００４】  従来用いられている不織布フィルターを下から貼って使用する方法は、接着部に油分が付着して接着強度の不足等により、フィルターが垂れ下がったり、磁石が目障りであったりして見た目に綺麗でなかった、又、フィルター用の枠を使用する方法は、種々の大きさの枠を用意しなければならず在庫負担が大きくなり普及し難かった。【０００５】  本考案は、油煙除去不織布フィルター用枠が縦横に伸縮し縮小拡大して、種々の大きさのレンジフードに対応でき、さらにフィルター面をほぼ均一に保持できる面保持片を備えた伸縮可能な不織布フィルター用保持枠により前述の欠点を解決しょうとするものである。
【課題を解決するための手段】
【０００６】  本考案に係る伸縮可能な不織布フィルター用保持枠は、平面視略Ｌ字状の枠片の先端方に略線状体の面保持片を設けた略三角形の保持部材の四つからなり、各々保持部材の枠片同士をスライド可能に接続して略方形状に形成することで枠が縦横に伸縮し、さらに四本の前記面保持片により枠片の内部に取り付けられるフィルターを保持する面保持部を形成してなることを特徴とするものである。【０００７】  さらに、前記四つの保持部材の接続を、対向する二つの保持部材側の枠片の上側とし、隣接する二つの保持部材側の枠片の下側にして、スライド可能に接続することで面保持片同士が支障なく大きく交差できることにより枠が縦横に伸縮してもフィルター面をほぼ均一に保持することができることを特徴とするものである。【０００８】  さらに、保持枠に取り付けたフィルターをサンドイッチ状に固定するために、略線状体からなる全て略線状体による略三角形状の裏面保持部材の四つからなり、略線状体からなる略三角形状のＬ字状の先端方に略線状体が通るパイプ又は輪等を設け、隣接する略三角形状のＬ字状の略線状体を互いにパイプ又は輪等に通してスライド構造に接続して形成した略方形状の伸縮する裏面固定枠ができることを特徴としている。
【考案の効果】
【０００９】  上述の様に、本考案の伸縮可能な不織布フィルター用保持枠は、枠が縦横に伸縮するのは勿論、枠の伸縮に係わらずフィルターの両面をほぼ均一に略線状体の面保持片で固定ができることにより、種々の大きさのレンジフードに対応できる。【００１０】  レンジフードに下から油煙除去不織布フィルターを貼っていたものに比べて、見た目にもスッキリして綺麗である。【００１１】  フィルター保持枠にフィルターを填めた後、略線状体からなる枠片を用いた伸縮する裏面固定枠で押さえて保持枠のフックに留めることにより、保持枠の面保持片との間のフィルターをサドイッチ状に挟んで両面を固定することができ、種々の大きさに対応できる。
【図面の簡単な説明】
【００１２】
【図１】伸縮するフィルター用保持枠を分解した四つの保持部材の平面図
【図２】小形にフィルター用保持枠が収縮した状態を示す平面図
【図３】大形にフィルター用保持枠が拡大した状態を示す平面図
【図４】長方形のフィルター用保持枠の状態を示す平面図
【図５】伸縮する裏面固定枠を分解した四つの裏面保持部材の平面図
【図６】伸縮する裏面固定枠が収縮した平面図
【図７】伸縮する裏面固定枠が拡大した平面図
【図８】伸縮する裏面固定枠を長方形にした時の平面図
【図９】枠にフィルターをセットしたイメージの断面図
【考案を実施するための形態】
【００１３】  本考案に係る伸縮可能な不織布フィルター用保持枠は、枠片２の断面が図９に示すように、略不等辺アングル状からなり、平面視略Ｌ字状の枠片２の先端方に略線状体の面保持片３を設けた保持部材１の四つからなり、保持部材１ａ、１ｄ、の枠片２にボルト用の穴５を開けておき、保持部材１ｂ、１ｃ、の枠片２にはスライド用の細長い穴４を開けておく、ボルト６をボルト穴５に通し、さらにスライド用の細長い穴４を通してナット６ｂで緩く止めることでスライドする枠ができ、レンジフードの大きさに合わせてナット６ｂを締めることで大きさを固定することができる。スライド構造は穴を開けずにスライド可能な枠片構造も含まれる。
【００１４】  前記四つの保持部材の接続は、対向する二つの保持部材１ｂ、１ｃ、の枠片２を上側とし、隣接する二つの保持部材１ａ、１ｄの枠片２を下側にして、スライド可能に接続することで面保持片３同士が支障なく大きく交差できることにより枠が縦横に伸縮しても連動する面保持片３によりフィルター面をほぼ均一に保持することができる。又は、四つの保持部材の枠片２の組み合わせを、四つの右辺又は左辺だけを全て下側又は上側と統一してスライドできる構造でもよく、面保持片についても同様である。
【００１５】  保持枠に取り付けたフィルター１１をサンドイッチ状に裏面を固定するために、平面視略Ｌ字状枠片２の代わりに略線状体からなり、全て略線状体による略三角形状８四つを作る、略三角形状８の作成時、略直角を挟む略線状枠片の先端方に略線状体が通るパイプ９又は輪を設け、隣接する略線状体の輪に互い略線状体を通してから溶接等１０により留めることで四つの略三角形状からなるスライド構造の略方形状に形成した伸縮する裏面固定枠図６ができる。
【００１６】  枠にフィルターを填めた後、フィルターを伸縮する裏面固定枠で押さえて枠のフック７に留めることにより、フィルターの両面が固定され、さらに伸縮する裏面固定枠の大きさも固定され、種々の大きさのレンジフードに対応できる伸縮可能な不織布フィルター用保持枠ができる。
【００１７】  略三角形の形状は、板材を打ち抜きにより略三角形状を製作する方法でもよく、略三角形の斜辺が曲がった形状や、角張った形状も含まれる。
【実施例】
【００１８】  以下、添付図面に従って一実施例を説明する。図１は平面視略Ｌ字状の枠片２の先端方に略線状体３を設けた四つ保持部材１からなり、二つの保持部材１ａと１ｄの枠片四ヶ所にボルト用穴５を開けておき、残り二つの保持部材１ｂと１ｃの枠片には四ヶ所のスライド用の長い穴４を開けておく。平面視略Ｌ字状の枠片２の断面図は図９の枠片２の略不等辺アングルである。【００１９】  四つの保持部材１の組み合わせを、対向する二つの保持部材１ｂと１ｃを上側とし、隣接する二つの略三角形１ａと１ｄを下側にして枠片同士を重ねてボルト６とナット６ｂで緩く止めることで面保持片に障害無く枠がスライドできる構造の保持枠１ができ、ボルト６、ナット６ｂを締めることで寸法が固定される。【００２０】  保持枠がスライドした時の実施例は、枠の四辺が縮んで縮小した時は図２の形状になり、枠の四辺を伸ばして拡大したときは図３の形状となる。枠の二辺を伸ばした時は図４の長方形となり、いずれの場合も枠に連動する面保持片によりフィルターの片面をほぼ均一に保持することができる。【００２１】  枠に取り付けたフィルターの反対面を押さえるため、前述の構造の枠片２に略線状体を使用し、図５のように全て略線状体の略三角形状８の略Ｌ字状の先端方にはパイプ９を設け、隣接する略三角形８同士をスライドできるようパイプ９の中を通して略方形状に形成した裏面固定枠が縮小した時が図６であり、拡大した時が図７であり、長方形にした時は図８のようになる。【００２２】  図９は、保持枠にフィルター１１をセットしたイメージの断面図であり、枠片２の断面が不等辺アングルであり、枠片２の重なる構造、面保持片３、裏面固定枠を留めるフック７等が描かれている。【００２３】  この伸縮可能なレンジフードフィルター保持枠をレンジフードの枠の大きさ、又は、付属の金属フィルターの大きさに保持枠をスライドして合わせてボルト６ナット６ｂを締め、保持枠に合わせてフィルター１１を鋏等で切り枠にはめる、裏面固定枠の大きさを保持枠に合わせ、保持枠に付いているフック７に留めてフィルター１１を固定した枠ができる。後はレンジフードの溝にはめて完成する。
【符号の説明】
【００２４】    １  （１ａ、１ｂ、１ｃ、１ｄ、）保持部材
２  枠片
３  面保持片
４  スライド用の細長い穴
５  ボルト用穴
６  ボルト、（６ｂナット）
７  保持枠の反対面の線状の裏面保持枠を留めるフック
８  フィルターの反対面を押さえる裏面固定用保持部材
９  パイプ  又は  輪
１０  溶接
１１  不織布フィルター
【図１】
0003154046.tif 000003
【図２】
0003154046.tif 000004
【図３】
0003154046.tif 000005
【図４】
0003154046.tif 000006
【図５】
0003154046.tif 000007
【図６】
0003154046.tif 000008
【図７】
0003154046.tif 000009
【図８】
0003154046.tif 000010
【図９】
0003154046.tif 000011
【手続補正書】
【提出日】平成21年6月29日(2009.6.29)
【手続補正１】
【補正対象書類名】実用新案登録請求の範囲
【補正対象項目名】全文
【補正方法】変更
【補正の内容】
【実用新案登録請求の範囲】
【請求項１】
平面視略Ｌ字状の枠片の先端方を結ぶ略線状体の面保持片を設けた略三角形状の保持部材の四つからなり、各々保持部材の枠片同士をスライド可能に接続して略方形状に形成し、四本の前記面保持片により枠片の内部に取り付けられるフィルター面を保持する面保持部を形成してなる伸縮可能な不織布フィルター用保持枠。
【請求項２】
前記略三角形状の保持部材を、対向する二つの保持部材側の枠片を上側とし、隣接する二つの保持部材側の枠片を下側にしてなり、各々隣接する略三角形状保持部材が重なり、面保持片が重なっても支障がなく枠片と連動してフィルター面をほぼ均一に保持することができる請求項１記載の伸縮可能な不織布フィルター用保持枠。
【請求項３】
請求項１又は２記載の伸縮可能な不織布フィルター用保持枠に取り付けたフィルターをサンドイッチ状に固定する裏面固定枠であって、枠片が略線状体より形成してなり、略線状体からなる四つの略三角形状のＬ字状の先端方に略線状体が通るパイプ又は輪等を設けて、隣接する略三角形状のＬ字状の略線状体を互いに通して形成した略方形状の伸縮する裏面固定枠。
【手続補正２】
【補正対象書類名】明細書
【補正対象項目名】０００２
【補正方法】変更
【補正の内容】
【０００２】  従来、レンジフードに用いられる油煙を除去する不織布フィルターは、下からマジックテープ（登録商標）や磁石を利用して貼っていた。